(57)【要約】【課題】ガイド機構にてガイドレールの側面に付着した異物が、ガイド機構とガイドレールの間に入り込むのを防止する。【解決手段】ガイドレール３に案内されるシュー２５において、ガイドレール３のレール側面１４ａに摺動するシュー側壁部２８の上辺部および下辺部となる位置にガイドレール３の固定部１３側に向かってシュー側壁部２８の幅が小さくなるように上側切欠案内部３０と下側切欠案内部３１を形成する。ガイドレール３に対してシュー２５が上昇した際には、レール側面１４ａに付着した異物３３が上側切欠案内部３０に付着掻集され、前記切欠案内部３０に沿ってガイドレール３の固定部１３側に向かって押出し排出される。【選択図】図５
2006103895.tif 000002
【特許請求の範囲】
【請求項１】
昇降路内に上下方向に沿って固定されたガイドレールと、該ガイドレールに沿って前記昇降路内を昇降する乗りかごと、該乗りかごの外枠に設けられ、前記ガイドレールに摺動して前記乗りかごを案内するガイド機構とを備えたエレベータ装置において、
前記ガイドレールは、昇降路内に固定された固定部と該固定部から乗りかご側に向かって垂直状に突設されたレール部からなり、
前記ガイド機構は、前記レール部の両側面に摺動する両側部材を有し、該両側部材の上辺部または下辺部の少なくとも一方に、前記固定部側に向かって前記両側部材の幅が小さくなるように傾斜状に切欠き形成された切欠案内部を設けたことを特徴とするエレベータ装置。
【請求項２】
前記切欠案内部は、前記固定部側に向かって傾斜直線状に形成されていることを特徴とする請求項１に記載のエレベータ装置。
【発明の詳細な説明】
【技術分野】
【０００１】
本発明は、昇降路内に設けられたエレベータ装置に関するものであって、特に、ガイドレールと該ガイドレールに沿って摺動するガイド機構の間に異物が侵入するのを防止するエレベータ装置に関するものである。
【背景技術】
【０００２】
従来のエレベータ装置としては、例えば以下の特許文献１に記載のものが提案されている。
【０００３】
この装置では、乗りかごに設けられ、該乗りかごの昇降を案内するガイドレールに沿って摺動するガイド機構の上方となる位置に、ガイドレールとガイド機構の間に異物が侵入するのを防止するガード機構を設けている。該ガード機構は、ガイドレールの両側面に常時当接していることにより上から落下してくる異物がガイドレールに付着するのを防止すると共に、ガイドレールに対してガイド機構が上下動する際にはガイドレールに付着した異物を除去するようになっている。
【０００４】
この装置により、ガイドレールとガイド機構との間に侵入した異物とガイドレールの摩擦により異音が発生し、乗客に不快感を与えるのを防止することができる。
【特許文献１】特開２００１−３０２１４１号公報
【発明の開示】
【発明が解決しようとする課題】
【０００５】
しかしながら、特許文献１に記載のエレベータ装置は、異物を除去するためのガード機構を別途設けなければならず、設備を追加するためのコストアップを招くと共に、エレベータ装置の構造が複雑となり好ましくない。
【０００６】
本発明はこのような課題に着目してなされたものであり、コストアップすることなく且つ簡素な構造にてガイド機構とガイドレールの間に異物が侵入するのを防止できるようにしたエレベータ装置を提供しようとするものである。
【課題を解決するための手段】
【０００７】
請求項１に記載の発明は、昇降路内に上下方向に沿って固定されたガイドレールと、該ガイドレールに沿って前記昇降路内を昇降する乗りかごと、該乗りかごの外枠に設けられ、前記ガイドレールに摺動して前記乗りかごを案内するガイド機構とを備えたエレベータ装置において、前記ガイドレールは、昇降路内に固定された固定部と該固定部から乗りかご側に向かって垂直状に突設されたレール部からなり、前記ガイド機構は、前記レール部の両側面に摺動する両側部材を有し、該両側部材の上辺部または下辺部の少なくとも一方に、前記固定部側に向かって前記両側部材の幅が小さくなるように傾斜状に切欠き形成された切欠案内部を設けたことを特徴としている。
【０００８】
この発明によれば、例えば上辺部ならば前記固定部に向かって斜め下方向に切欠案内部が形成される一方、下辺部ならば前記固定部に向かって斜め上方向に切欠案内部が形成されている。そして、前記レール部の側面にガイド機構が摺動すると、前記レール部の両側面に付着している異物が付着掻集されつつ固定部側に向かって押出し排出され、その結果、ガイド機構とガイドレールのレール部の間に異物が侵入するのを防止できる。
【０００９】
また、請求項２に記載の発明のように、前記切欠案内部が、前記固定部側に向かって直線状に形成されていることによって、よりスムーズに切欠案内部に付着掻集された異物をガイドレールの固定部側に押出し排出することができる。
【発明の効果】
【００１０】
したがって、請求項１，２に記載の発明によれば、コストアップすることなく且つ簡素な構造のエレベータ装置にて、ガイドレールのレール部の両側面に付着した異物を除去し、異物とレール部の摩擦による異音の発生を防止することができる。
【発明を実施するための最良の形態】
【００１１】
図１〜４は本発明に係るエレベータ装置の実施の形態を示したものである。
【００１２】
図１はガイド機構を含むエレベータ装置全体の透視図的な斜視図を、図２は図１におけるＡ部の拡大図を、図３は図２の分解図を、図４は図２の平面図をそれぞれ示している。
【００１３】
エレベータ装置１は、図１に示すように、昇降路２内に上下方向に沿って固定された一対のガイドレール３，３と、該ガイドレール３，３に沿って前記昇降路２内を昇降する乗りかご４と、該乗りかご４を前記ガイドレール３，３に沿って昇降させるメインロープ５とから大略構成されている。
【００１４】
前記メインロープ５の一端側には乗りかご４が固定されている一方、他端側には、昇降路２の最上部に設けられた巻上機７を介して図外のつり合いおもりが固定されており、巻上機７が回転駆動されることによって前記乗りかご４が昇降するようになっている。なお、図中の８はかごの戸であって、かごの戸８が設けられている部位が乗りかご４の正面となる。
【００１５】
そして、前記乗りかご４の上端部および下端部には、それぞれ一対となる上部ガイド機構１０，１０および下部ガイド機構１１，１１（一部図外）が設けられており、該上部ガイド機構１０，１０および下部ガイド機構１１，１１がそれぞれ前記ガイドレール３，３に案内されつつ、乗りかご４を昇降路２内で昇降案内する。
【００１６】
前記ガイドレール３は、図２に示すように、昇降路２内に固定された固定部１３と該固定部１３の幅方向中央から乗りかご４側に向かって垂直状に突設されたレール部１４からなり、横断面ほぼＴ字状に形成されている。
【００１７】
前記上部ガイド機構１０は、図２のほか図３，４に示すように、図外のボルト・ナットにて乗りかご４に固定されているブラケット１６と、該ブラケット１６に軸心１７をもって係合しているガイド体１８を備えている。前記軸心１７には、ロックナット２０，パイプ２１およびコイルばね２２が貫装されており、ロックナット２０とパイプ２１を回転させ、コイルばね２２の撓み量を変えることによってガイドレール３に対するガイド体１８の位置を調節できるようになっている。
【００１８】
前記ガイド体１８の前端部となる位置には断面ほぼコ字状のガイド枠２４が設けられており、このガイド枠２４の内側には、ガイドレール３のレール部１４と摺動する例えば樹脂製の断面ほぼコ字状のシュー２５と、平板状で例えばソリッドゴム製の一対のラバーブロック２６，２６が設けられている。
【００１９】
前記シュー２５は、両側部材である一対のシュー側壁部２８，２８と、この側壁部２８，２８を支持しているシュー底壁部２９から構成されており、前記ラバーブロック２６，２６が、シュー側壁部２８，２８とガイド枠２４に挟着されている。
【００２０】
ここで、前記シュー側壁部２８，２８の上辺部となる位置には、ガイドレール３の固定部１３側に向かってシュー側壁部２８，２８の幅が小さくなるようにそれぞれ下方向に傾斜直線状となる上側切欠案内部３０，３０が一定の厚さをもって平面状に形成されている。一方、前記シュー側壁部２８，２８の下辺部となる位置には、ガイドレール３の固定部１３側に向かってシュー側壁部２８，２８の幅が小さくなるように上方向に傾斜直線状となる下側切欠案内部３１，３１が一定の厚さをもって平面状に形成されており、シュー側壁部２８，２８はほぼ台形状になっている。
【００２１】
以下、本実施形態の作用について説明する。
【００２２】
まず、乗りかご４の停止状態では、図４に示すように、前記レール部１４にはシュー側壁部２８，２８およびシュー底壁部２９は当接しないように設定されているが、乗りかご４が昇降するに伴い、乗りかご４は前後方向および左右方向に揺動し、レール部１４が断続的にシュー側壁部２８，２８およびシュー底壁部２９と当接し摺動することになる。
【００２３】
例えば、乗りかご４が前後方向（矢印Ｃ方向）に揺動した場合には、レール部１４のレール側面１４ａ，１４ａがシュー側壁部２８，２８と摺動し、ラバーブロック２６，２６がレール部１４からの衝撃を和らげるいわゆる緩衝材となる。また、乗りかご４が左右方向（矢印Ｄ方向）に揺動した場合には、レール頂面１４ｂがシュー底壁部２９と摺動し、前記コイルばね２２がレール部１４からの衝撃を和らげる緩衝材となる。なお、もう一方の上部ガイド機構１０および下部ガイド機構１１，１１も同様な構造となっている。
【００２４】
乗りかご４が上昇した際には、シュー２５とガイドレール３の位置関係を簡略化した側面図である図５（ａ）で示すように、ガイドレール３に対してシュー２５が相対的に上方向（矢印Ｅ方向）に移動する。
【００２５】
ここで、図５（ａ）の平面図である図５（ｂ）で示すように、乗りかご４が前後方向に揺動し、例えば一方のシュー側壁部２８にレール側面１４ａが摺動している場合には、レール側面１４ａに付着している異物３３が、上昇している一方のシュー側壁部２８における上側切欠案内部３０の側縁に付着掻集される。
【００２６】
その結果、上側切欠案内部３０の側縁に付着掻集された異物３３は、レール側面１４ａに付着しつつ、上側切欠案内部３０の面上を滑るようにして固定部１３側に向かって押出し排出され、レール側面１４ａから除去されることになる。このようにして、レール側面１４ａとシュー側壁部２８との間に異物３３が入り込むのを防止できる。
【００２７】
一方、乗りかご４が下降した際には、ガイドレール３に対してシュー２５が相対的に下方向（矢印Ｇ方向）に移動するため、レール側面１４ａに付着している異物３４は下降している下側切欠案内部３１の側縁に付着掻集される。
【００２８】
その結果、シュー２５が上昇した場合と同様に、下側切欠案内部３１の側縁に付着掻集された異物３４は、レール側面１４ａに付着しつつ、下側切欠案内部３１の面上を滑るようにして固定部１３側に向かって押出し排出され、レール側面１４ａから異物３４が除去されることになる。このようにして、レール側面１４ａとシュー側壁部２８との間に異物３４が入り込むのを防止できる。
【００２９】
また、乗りかご４の右側端部および左側端部には、図１に示すように、上部ガイド機構１０および下部ガイド機構１１の二つのガイド機構が一本のガイドレール３に沿って昇降するため、より確実にガイドレール３に付着した異物３３，３４を除去することができる。
【００３０】
このように、シュー２５のシュー側壁部２８，２８の上辺部および下辺部となる位置にそれぞれ上側切欠案内部３０，３０および下側切欠案内部３１，３１を形成することによって、コストアップすることなく且つ簡素な構造のエレベータ装置１にて、ガイドレール３のレール側面１４ａ，１４ａに付着した異物３３，３４をスムーズに除去することができ、レール側面１４ａ，１４ａとシュー側壁部２８，２８の間に異物３３，３４が侵入するのを防止できる。
【００３１】
なお、シュー側壁部２８，２８の上辺部もしくは下辺部のいずれか一方に切欠案内部が形成されている構造であってもよい。例えば、上側切欠案内部３０，３０のみが形成されている場合には、乗りかご４が上昇する際にレール側面１４ａ，１４ａに付着した異物３３を除去し、下側切欠案内部３１，３１のみが形成されている場合には、乗りかご４が下降する際にレール側面１４ａ，１４ａに付着した異物３４を除去する。
【００３２】
また、上側切欠案内部３０，３０および下側切欠案内部３１，３１は、シュー側壁部２８，２８の幅がガイドレール３の固定部１３側に向かって小さくなっていれば曲線状のものであってもよい。
【００３３】
加えて、乗りかご４の停止中において、ガイドレール３のレール部１４がシュー２５に予め当接している構造であってもガイドレール３のレール側面１４ａ，１４ａに付着した異物３３，３４を除去することができる。
【図面の簡単な説明】
【００３４】
【図１】本発明に係る実施の形態として、ガイド機構を備えたエレベータ装置の乗りかごの全体構成を示す透視斜視図である。
【図２】図１におけるＡ部の拡大図である。
【図３】図２の分解図である。
【図４】図２の平面図である。
【図５】（ａ）はガイドレールに対してシューが上下動した際の簡略化した側面図、（ｂ）は（ａ）の平面図である。
【符号の説明】
【００３５】
１…エレベータ装置
２…昇降路
３…ガイドレール
４…乗りかご
１０…ガイド機構
１３…固定部
１４…レール部
２８…シュー側壁部（両側部材）
３０…上側切欠案内部
３１…下側切欠案内部
【図１】
2006103895.tif 000003
【図２】
2006103895.tif 000004
【図３】
2006103895.tif 000005
【図４】
2006103895.tif 000006
【図５】
2006103895.tif 000007